(57)【要約】  機密要素、および機密要素を、輪転印刷プロセスを使用して印刷する方法。機密要素は複数の画像要素を含み、方法は、印刷面を有する透明または半透明被印刷物を用意するステップと、被印刷物の印刷面の少なくとも一部分上に画像層を印刷するステップと、を含む。画像層は連続的であり、拡張縁領域と画像領域とを含む。拡張縁領域の少なくとも一部分は画像領域の前に印刷され、画像領域は非印刷部および印刷部を含む。【選択図】図１
2014531342.tif 000002
【特許請求の範囲】
【請求項１】
フェザリングの影響を受けやすい機密要素を、輪転印刷プロセスを使用して印刷する方法であって、前記機密要素が複数の画像要素を含み、当該方法が、
ａ）印刷面を有する透明または半透明被印刷物を用意するステップと、
ｂ）前記被印刷物の前記印刷面の少なくとも一部分上に画像層を印刷するステップと、を含み、
前記画像層は拡張縁領域と画像領域とを含み、前記画像領域は前記複数の画像要素を含み、前記拡張縁領域の少なくとも一部分は前記画像領域の前に印刷される、
方法。
【請求項２】
前記複数の画像要素が印刷部に対応する、請求項１に記載の方法。
【請求項３】
前記複数の画像要素が非印刷部に対応する、請求項１に記載の方法。
【請求項４】
印刷時、フェザリング現象が完全にまたは少なくとも実質的に前記拡張領域に限定される、請求項１〜３のいずれか一項に記載の方法。
【請求項５】
前記拡張縁領域が前記画像領域を囲む枠を画定する、請求項１〜４のいずれか一項に記載の方法。
【請求項６】
前記拡張縁領域が実質的に前記被印刷物の前記印刷面の全印刷表面を被覆する、請求項１〜５のいずれか一項に記載の方法。
【請求項７】
前記画像層の少なくとも一部分がパッチ層と前記被印刷物との間にあるように、前記パッチ層を前記印刷面に塗布する更なるステップを含む、請求項１〜６のいずれか一項に記載の方法。
【請求項８】
前記パッチ層が前記画像要素を少なくとも部分的に被覆する、請求項７に記載の方法。
【請求項９】
前記パッチ層が前記印刷プロセス時に塗布されるインクの層に対応する、請求項７または８に記載の方法。
【請求項１０】
前記被印刷物が前記印刷面と反対側の視認面を含み、当該方法が、前記画像要素を視認するための複数の集束要素を前記被印刷物の前記視認面内または前記視認面上に形成する更なるステップを含む、請求項１〜９のいずれか一項に記載の方法。
【請求項１１】
前記輪転印刷プロセスがグラビア印刷プロセスである、請求項１〜１０のいずれか一項に記載の方法。
【請求項１２】
フェザリングの影響を受けやすい輪転印刷プロセスによって作製される機密要素であって、
ａ）印刷面および視認面を有する透明または半透明被印刷物と、
ｂ）前記被印刷物の前記印刷面上の画像層と、を含み、
前記画像層は拡張縁領域と画像領域とを含み、前記画像領域は前記複数の画像要素を含み、前記拡張縁領域の少なくとも一部分は前記画像領域の前に印刷される、
機密要素。
【請求項１３】
前記複数の画像要素が印刷部に対応する、請求項１２に記載の機密要素。
【請求項１４】
前記複数の画像要素が非印刷部に対応する、請求項１２に記載の機密要素。
【請求項１５】
前記拡張領域が、前記被印刷物の前記印刷面への前記画像層の前記印刷から生じるフェザリング現象が完全にまたは少なくとも実質的に前記拡張領域に限定されるように構成されている、請求項１２〜１４のいずれか一項に記載の機密要素。
【請求項１６】
前記拡張縁領域が前記画像領域を囲む枠を画定する、請求項１２〜１５のいずれか一項に記載の機密要素。
【請求項１７】
前記拡張縁領域が実質的に前記被印刷物の前記印刷面の全印刷表面を被覆する、請求項１２〜１６のいずれか一項に記載の機密要素。
【請求項１８】
前記画像層の少なくとも一部分が前記パッチ層と前記被印刷物との間にあるように前記パッチ層を更に含む、請求項１２〜１７のいずれか一項に記載の機密要素。
【請求項１９】
前記パッチ層が前記画像要素を少なくとも部分的に被覆する、請求項１８に記載の機密要素。
【請求項２０】
前記パッチ層が前記印刷プロセス時に塗布されるインクの層に対応する、請求項１８または１９に記載の機密要素。
【請求項２１】
前記被印刷物が、前記印刷面と反対側の視認面を含み、前記機密要素が前記被印刷物の前記視認面内または前記視認面上に複数の集束要素を更に含む、請求項１２〜２０のいずれか一項に記載の機密要素。
【請求項２２】
前記輪転印刷プロセスがグラビア印刷プロセスである、請求項１２〜２１のいずれか一項に記載の機密要素。
【請求項２３】
請求項１〜１１のいずれか一項に記載の方法によって作製された機密要素を含む機密文書。
【請求項２４】
請求項１２〜２２のいずれか一項に記載の機密要素を含む機密文書。
【請求項２５】
１つまたは複数の二次機密要素を含む、請求項２３または２４に記載の機密文書。
【請求項２６】
前記１つまたは複数の二次機密要素が、マイクロプリント部、セキュリティスレッド、ホログラム、および自己確認窓から選択される、請求項２５に記載の機密文書。
【発明の詳細な説明】
【技術分野】
【０００１】
本発明は、全般的に、輪転印刷された機密要素およびそのような要素を印刷するための方法に関する。
【背景技術】
【０００２】
マイクロレンズのアレイが、複数組のインターリーブ画像要素を含む物体表面に集束する光学的に可変のデバイスを提供することは公知である。各組の画像要素は異なる画像に属する。このため、デバイスを見る使用者がその相対視野角を変えると異なる画像が見えるようになる。
【０００３】
画像要素は、輪転印刷プロセス、例えば、グラビア印刷またはオフセット印刷を使用して物体表面上に印刷してもよい。しかしながら、印刷される画像要素の初期部分はフェザリングとして公知の歪みを生じる場合がある。これは特にグラビア印刷プロセスに当てはまる。
【０００４】
フェザリングによる歪みを低減した画像要素を作製することが望ましい。
【０００５】
機密文書
本明細書では、機密文書という用語は、以下、紙幣および硬貨等の通貨種目（ｉｔｅｍｓ  ｏｆ  ｃｕｒｒｅｎｃｙ）、クレジットカード、小切手、パスポート、身分証明書、有価証券および株券、運転免許証、権利証書、航空券および乗車券等の旅行文書、入場券およびチケット、出生証明書、死亡証明書および婚姻証明書、ならびに成績証明書を含むが、これらに限定されないあらゆる種類の文書および価値章標および身分証明文書を含む。
【０００６】
透明窓および半窓
本明細書では、窓という用語は、機密文書内の、印刷が適用された実質的に不透明な領域に比して透明または半透明な部分を意味する。窓は、それが光の透過に実質的に影響しないように完全に透明であっても、部分的に光の透過を可能にするが、物体が窓部を通して明瞭に見えることを可能としない、部分的に透明または半透明であってもよい。
【０００７】
窓部は、少なくとも１つの透明高分子材料層と、透明高分子製被印刷物の少なくとも１つの面に塗布された１つまたは複数の不透明化層とを有する高分子製機密文書内に、窓部を形成する領域内の最小１つの不透明化層を省略することによって形成してもよい。不透明化層が透明被印刷物の両面に塗布される場合、窓部内の透明被印刷物の両面の不透明化層を省略することによって完全に透明な窓を形成してもよい。
【０００８】
以下、「半窓（ｈａｌｆ−ｗｉｎｄｏｗ）」と呼ばれる部分的に透明または半透明な部分を、不透明化層を両面に有する高分子製機密文書内に、機密文書の窓部の片面のみ不透明化層を省略することによって形成してもよい。このため、「半窓」は完全には透明でなく、いくらかの光を通過し、半窓を通して物体が明瞭に見えることを可能としない。
【０００９】
代替として、被印刷物を紙または繊維質材料等の実質的に不透明な材料から形成することが可能であり、透明窓または半透明な半窓部を形成するために紙または繊維状被印刷物の切抜部または凹部内に透明プラスチック材料の挿入物が挿入されている。
【００１０】
不透明化層
機密文書の不透明度を増加させるために１つまたは複数の不透明化層を透明被印刷物に塗布してもよい。不透明化層はＬＴ＜Ｌ０であり、ここで、Ｌ０は文書に入射する光の量、ＬＴは文書を透過する光の量である。不透明化層は、種々の不透明化コーティングのうちの任意の１つまたは複数を含んでもよい。例えば、不透明化コーティングは、熱活性型の架橋可能な高分子材料製の結合剤またはキャリヤ中に分散させた二酸化チタン等の顔料を含んでもよい。代替として、透明なプラスチック材料の被印刷物を、紙または他の部分的にまたは実質的に不透明な材料の不透明化層の間に挟むことができる。不透明化層には、後に、印を印刷してもそうでなければ塗布してもよい。
【発明の概要】
【課題を解決するための手段】
【００１１】
本発明の第１の態様においては、フェザリングの影響を受けやすい機密要素を、輪転印刷プロセスを使用して印刷する方法が提供される。機密要素は複数の画像要素を含む。方法は、
ａ）印刷面を有する透明または半透明被印刷物を用意するステップと、
ｂ）被印刷物の印刷面の少なくとも一部分上に画像層を印刷するステップと、を含み、
画像層は拡張縁領域と画像領域とを含み、画像領域は複数の画像要素を含み、拡張縁領域の少なくとも一部分は画像領域の前に印刷される。
【００１２】
フェザリングはグラビア印刷等のいくつかの輪転印刷プロセスにおいて見られる歪みであり、多くの要因に起因しうるものである。例えば、印刷ドラム上のインクのいくらかはそれが印刷表面（例えば、紙表面または被印刷物）に塗布される前に予想以上に乾燥する。別の例では、フェザリングは、グラビアセル等の、印刷表面に塗布される画像の先端（印刷表面に最初に印刷される端）のインク充填用の窪みに予想通りにインクが充填されないことに起因しうる。予想される別の原因は、先端の窪みがセル内に含まれたインクを予想通りに印刷表面に転移しないことである。同様に、これはグラビア印刷時におけるグラビアセルの問題となりうる。概して、ぎざぎざに（ｒａｇｇｅｄ）またはぶれて（ｆｅａｔｈｅｒｅｄ）見え、したがって、予想よりもあまり境界が明瞭でない画像の縁を生じるあらゆる歪みはフェザリング現象と形容してもよい。フェザリング現象は、通常、画像の先端に付随する。
【００１３】
複数の画像要素は印刷部に対応してもよい。代替として、複数の画像要素は非印刷部に対応してもよい。
【００１４】
好ましくは、印刷時、フェザリング現象は実質的に拡張領域に限定される。代替として、印刷時、フェザリング現象は完全に拡張領域に限定される。拡張縁領域は画像領域を囲む枠を画定してもよい。
【００１５】
好ましくは、拡張縁領域は実質的に被印刷物の印刷面の全印刷表面を被覆する。拡張縁領域は、画像領域とは異なる、非印刷部の領域に対応する１つまたは複数の窓を含んでもよい。少なくとも１つの窓は更なる機密特徴部を含んでもよい。
【００１６】
好ましくは、画像層は印刷プロセス時に塗布されるインクの層に対応する。画像層は実質的に不透明であってもよい。
【００１７】
好ましくは、画像層の少なくとも一部分がパッチ層と被印刷物との間にあるようにパッチ層を印刷面に塗布する更なるステップが含まれる。代替として、パッチ層は、パッチ層の少なくとも一部分が画像層と印刷面との間にあるように印刷面に塗布されうる。
【００１８】
パッチ層は画像要素を少なくとも部分的に被覆してもよい。代替として、パッチ層は画像要素を完全に被覆してもよい。パッチ層は画像層と比較した場合により暗い色調または色合いのものであってもよい。代替として、パッチ層は画像層と比較した場合により明るい色調または色合いのものであってもよい。
【００１９】
好ましくは、パッチ層は印刷プロセス時に塗布されるインクの層に対応する。パッチ層は実質的に透明であっても半透明であってもよい。代替として、パッチ層は実質的に不透明であってもよい。
【００２０】
好ましくは、被印刷物の印刷面上に印刷された２つ以上の画像層がある。各画像層は別の画像層に少なくとも部分的に重なってもよい。好ましくは、被印刷物の印刷面上に塗布された２つ以上のパッチ層がある。好ましくは、各画像層に対して１つの固有のパッチ層がある。好ましくは、被印刷物は２つの印刷面を含み、各印刷面に塗布された１つまたは複数の画像層がある。
【００２１】
好ましくは、被印刷物は視認面を含み、方法は、被印刷物の視認面内または上に複数の集束要素を形成する更なるステップを含む。集束要素はマイクロレンズであってもよい。集束要素は被印刷物の厚さにほぼ等しい焦点距離を有してもよい。代替として、集束要素は被印刷物の厚さよりも長い焦点距離を有してもよい。好ましくは、集束要素は画像要素を見るために構成されている。
【００２２】
好ましくは、視認面は印刷面の反対側である。
【００２３】
好ましくは、視認表面および印刷表面のいずれか１つまたは両方にデザイン層を塗布する更なるステップが含まれる。
【００２４】
輪転印刷プロセスはグラビア印刷プロセスであってもよい。代替として、輪転印刷プロセスはオフセット印刷プロセスであってもよい。
【００２５】
好ましくは、被印刷物の印刷面は画像層と実質的に同じ表面積を有する。代替として、被印刷物の印刷面は画像層よりも大きな表面積を有してもよい。
【００２６】
本発明の第２の態様では、フェザリングの影響を受けやすい輪転印刷プロセスによって作製される機密要素が提供される。機密要素は、
ａ）印刷面および視認面を有する透明または半透明被印刷物と、
ｂ）被印刷物の印刷面上の画像層と、を含み、
画像層は拡張縁領域と画像領域とを含み、画像領域は複数の画像要素を含み、拡張縁領域の少なくとも一部分は画像領域の前に印刷される。
【００２７】
複数の画像要素は印刷部に対応してもよい。代替として、複数の画像要素は非印刷部に対応してもよい。
【００２８】
好ましくは、拡張領域は、被印刷物の印刷面への画像層の印刷から生じるフェザリング現象が実質的に拡張領域に限定されるように構成される。
【００２９】
好ましくは、拡張領域は、被印刷物の印刷面への画像層の印刷から生じるフェザリング現象が完全に拡張領域に限定されるように構成される。
【００３０】
好ましくは、拡張縁領域は画像領域を囲む枠を画定する。拡張縁領域は実質的に被印刷物の印刷面の全印刷表面を被覆してもよい。拡張縁領域は、画像領域とは異なる、非印刷部の領域に対応する１つまたは複数の窓を含んでもよい。好ましくは、少なくとも１つの窓は更なる機密特徴部を含む。
【００３１】
好ましくは、画像層は印刷プロセス時に塗布されるインクの層に対応する。画像層は実質的に不透明であってもよい。
【００３２】
好ましくは、被印刷物の印刷面上に印刷された２つ以上の画像層がある。各画像層は別の画像層に少なくとも部分的に重なってもよい。好ましくは、被印刷物の印刷面上に塗布された２つ以上のパッチ層がある。各画像層に対して１つの固有のパッチ層があってもよい。
【００３３】
好ましくは、被印刷物は２つの印刷面を含み、各印刷面に塗布された１つまたは複数の画像層がある。
【００３４】
好ましくは、画像層の少なくとも一部分がパッチ層と被印刷物との間にあるようにパッチ層が含まれる。代替として、パッチ層は、パッチ層の少なくとも一部分が画像層と被印刷物との間にあるように含まれる。パッチ層は画像要素を少なくとも部分的に被覆してもよい。パッチ層は代替として画像要素を完全に被覆してもよい。
【００３５】
好ましくは、パッチ層は、画像層と比較した場合により暗い色調または色合いのものである。代替として、パッチ層は画像層と比較した場合により明るい色調または色合いのものであってもよい。パッチ層は印刷プロセス時に塗布されるインクの層に対応してもよい。
【００３６】
好ましくは、パッチ層は実質的に透明または半透明である。代替として、パッチ層は実質的に不透明であってもよい。
【００３７】
好ましくは、被印刷物の印刷面上に印刷された２つ以上の画像層がある。各画像層は別の画像層に少なくとも部分的に重なってもよい。好ましくは、被印刷物の印刷面上に塗布された２つ以上のパッチ層がある。好ましくは、各画像層に対して１つの固有のパッチ層がある。好ましくは、被印刷物は２つの印刷面を含み、各印刷面に塗布された１つまたは複数の画像層がある。
【００３８】
好ましくは、被印刷物は視認面を含み、機密要素は被印刷物の視認面内または上に複数の集束要素を更に含む。集束要素はマイクロレンズであってもよい。好ましくは、集束要素は被印刷物の厚さにほぼ等しい焦点距離を有する。代替として，集束要素は被印刷物の厚さよりも長い焦点距離を有してもよい。好ましくは、集束要素は画像要素を見るために構成されている。
【００３９】
好ましくは、視認表面および印刷表面のいずれかまたは両方にデザイン層が含まれる。好ましくは、印刷プロセスはグラビア印刷プロセスである。
【００４０】
本発明の第３の態様においては、本発明の第１の態様の方法に従って作製された機密要素を含む機密文書が提供される。機密文書は、好ましくは、紙幣、小切手または株券等の有価文書である。
【００４１】
本発明の第４の態様においては、本発明の第２の態様による機密要素を含む機密文書が提供される。
【００４２】
好ましくは、１つまたは複数の二次機密要素が含まれる。１つまたは複数の二次機密要素は、マイクロプリント部、セキュリティスレッド、ホログラム、および自己確認窓（ｓｅｌｆ  ｖｅｒｉｆｉｃａｔｉｏｎ  ｗｉｎｄｏｗ）から選択してもよい。
【００４３】
ここで、添付の図面を参照して本発明の好適な実施形態を説明する。
【図面の簡単な説明】
【００４４】
【図１】機密要素を含む機密文書を示す。
【図２】一実施形態による機密要素を示す。
【図３】被印刷物層と、画像層と、パッチ層と、を含む機密要素の分解図を示す。
【図４】更なる実施形態による機密文書を示す。
【図５】被印刷物層と、画像要素および窓を含む画像層と、を含む機密文書の分解図を示す。
【図６】更なる実施形態による、集束要素を含む機密要素を示す。
【発明を実施するための形態】
【００４５】
図１を参照すると、機密要素１０１および任意の二次機密要素１０２を含む機密文書１００が示される。機密要素１０１は、機密文書と別個の要素として構成することができ、機密文書１００または他の機密物品に貼ることを可能にする。
【００４６】
機密要素１０１は、図２に示すように、視認面２０２および印刷面２０３を含む。視認面２０２は、被印刷物２００を通じて視認面２０２から印刷面２０３を視認可能なように配置される。例えば、窓または半窓を機密要素１０１上に形成するために視認面の対象部以外に不透明化層が塗布されうる。一実施形態においては、画像要素２０１は視認面２０２からのみ視認可能であるが、概して、画像要素２０１は面２０２、２０３のいずれか１つまたは両方から視認可能とされうる。各画像要素２０１は１つまたは複数の画像の一部分に対応しうる。画像要素２０１は、不透明、半透明、または透明とされうる。一実施形態において、各画像要素２０１は着色される。各画像要素２０１の色は様々な色から選択される。
【００４７】
図３は、画像層３００と、被印刷物２００と、任意のパッチ層４００とを含む機密要素１０１の分解図を示す。画像層３００は、輪転印刷プロセス、例えば、グラビア印刷またはオフセット印刷を使用して被印刷物２００の印刷面２０３に塗布されたインク層である。画像層３００は、拡張縁領域３０１および画像領域３０３を含む。図３において画像領域３０３は画像層３００の一部である。したがって、画像層３００が印刷される場合、画像領域３０３と拡張縁領域３０１は同じ印刷プロセスで印刷される。つまり、画像領域３０３と拡張縁領域３０１は別々の印刷プロセスにおいて載置された別個の層ではない。
【００４８】
拡張縁領域３０１は、画像層の、画像領域３０３を囲む部分を画定する。拡張縁領域３０１は、印刷時、あらゆるフェザリング現象が拡張領域３０１に限定される、または少なくとも実質的に限定されるほど十分に大きい。これにより、フェザリング現象が最小化される、または画像領域３０３から除去されるため、印刷時における画像要素２０１のより高い解像度が可能となる。
【００４９】
画像領域３０３は、機密要素１０１の画像要素２０１に対応する画像要素領域３０２を含む。画像要素領域３０２は、特定の実施形態に応じて、画像領域３０３の、インクを有しない領域またはインクを含む領域のいずれかに対応しうる。画像要素２０１が画像領域内に画定されるように、画像領域３０３の、画像要素領域３０２に対応しない部分も同様にインクを含むかインクを有しない。
【００５０】
一実施形態においては、被印刷物の印刷面２００への画像層３００の塗布後、画像層３００が被印刷物２００とパッチ層４００との間に配置されるように任意のパッチ層４００が被印刷物２００に塗布される。パッチ層４００は、画像層３００を塗布するのに使用したものと同じ輪転印刷技術または代替として画像層３００上に層を塗布するのに適した任意の他の技術を使用して塗布されうる。パッチ層４００は、被印刷物２００の全印刷表面２０３を、または代替として、印刷表面２０３の一部のみを被覆してもよい。さらに、パッチ層４００は各画像要素領域３０２の全体を被覆することができる。または代替として、パッチ層は各画像要素領域３０２の一部分を被覆してもよい。
【００５１】
パッチ層４００は好ましくは画像層３００と対照をなす。パッチ層４００は画像層３００と比較した場合により暗い色合いまたは色とされうる。例えば、画像層３００は白であってもよく、パッチ層４００は黒であってもよい。代替として、パッチ層４００は画像層３００と比較した場合により明るい色合いまたは色とされうる。パッチ層４００は不透明、半透明、または透明とすることができる。パッチ層４００は実質的に１つの色のものとすることも、様々な色および／または様々なレベルの透明性／不透明性を含むこともできる。パッチ層４００が不透明な場合、画像要素２０１は機密要素１０１の視認面２０２からのみ見える。代替として、パッチ層が半透明であるか透明である場合、画像要素２０１は視認面２０２および印刷面２０３の両方から見えうる。
【００５２】
別の実施形態においては、パッチ層４００は画像層３００の前に被印刷物２００に塗布される。
【００５３】
図４および図５に示す一実施形態においては、機密要素１０１は機密文書１００に一体化される。この場合、画像層３００の拡張縁領域３０１は機密文書１００の表面の全てまたは実質的に全てを被覆する（すなわち、機密文書は視認面５０２および印刷面５０３を有するものとして画定され、画像層３００は機密要素１０１と同様の手法で印刷面５０３に塗布される）。窓１０２を機密文書１００内に含むことができる。この場合、画像層３００は無いインクとして画定される窓要素５０４を含む。窓１０２は更なる機密特徴部を含んでもよい。機密文書１００内に任意の数の窓１０２を含むことができる。
【００５４】
この実施形態においては、機密文書１００の機密要素１０２領域は図１〜３を参照して記載した実施形態と同様の手法で作製される。
【００５５】
本実施形態の利点の１つは、本実施形態が、機密要素１０２が機密文書１００の他の部分と明らかに異なるという可能性を防止することである。例えば、画像層またはパッチ層が文書の他の部分よりもより多くの透過光を遮断するがゆえに、例えば、機密要素１０２は機密文書１００の部分領域（ｓｕｂｓｅｃｔｉｏｎ）のようには見えない。
【００５６】
一実施形態においては、図６に示すように、視認表面２０２は複数の集束要素６００を含む。集束要素６００はマイクロレンズとされうる。集束要素６００は被印刷物２００から形成されうる。または代替として集束要素６００は視認表面２０２に塗布されうるか視認表面２０２上に形成されうる。集束要素６００は、被印刷物２００の深さと同じかほぼ同じの焦点距離を有して構成されうる。代替として、焦点距離は被印刷物２００の厚さよりも長くすることも短くすることもできる。
【００５７】
再度、図１または図４を参照すると、あるとすれば、二次機密要素１０２は任意の適切な種類のものとすることができ、例えば、マイクロプリント部、セキュリティスレッド、ホログラム、光学的に可変のデバイス、および自己確認窓の１つまたは複数である。代替として、二次機密要素１０２は透明または半透明な窓とされうる。
【００５８】
更なる実施形態においては、１つより多い画像層３００が被印刷物２００に塗布される。各画像層３００は、１つまたは複数の他の画像層３００に部分的にまたは完全に重なりうる。または代替として、各画像層３００は被印刷物２００の別の部分に塗布される。この実施形態においては、パッチ層４００は各個々の画像層３００の前または後に塗布されうる。または代替としてパッチ層は２つ以上の画像層３００に塗布されうる。
【００５９】
本発明の範囲から逸脱することなく更なる変更および改良を施してもよい。別の変更例においては、視認面への不透明層の塗布により画像要素は機密要素の印刷面からのみ見えてもよい。
【符号の説明】
【００６０】
１００  機密文書
１０１  機密要素
１０２  二次機密要素
２００  被印刷物
２０１  画像要素
２０２  視認面
２０３  印刷面
３００  画像層
３０１  拡張縁領域
３０２  画像要素領域
３０３  画像領域
４００  パッチ層
５０２  視認面
５０３  印刷面
５０４  窓要素
６００  集束要素
【図１】
2014531342.tif 000003
【図２】
2014531342.tif 000004
【図３】
2014531342.tif 000005
【図４】
2014531342.tif 000006
【図５】
2014531342.tif 000007
【図６】
2014531342.tif 000008
【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
フェザリングの影響を受けやすい機密要素を、輪転印刷プロセスを使用して印刷する方法であって、前記機密要素が複数の画像要素を含み、当該方法が、
ａ）印刷面を有する透明または半透明被印刷物を用意するステップと、
ｂ）前記被印刷物の前記印刷面の少なくとも一部分上に画像層を印刷するステップと、を含み、
前記画像層は拡張縁領域と画像領域とを含み、前記画像領域は前記複数の画像要素を含み、前記拡張縁領域の少なくとも一部分は前記画像領域の前に印刷される、
方法。
【請求項２】
前記複数の画像要素が印刷部または非印刷部に対応する、請求項１に記載の方法。
【請求項３】
印刷時、フェザリング現象が完全にまたは少なくとも実質的に前記拡張領域に限定される、請求項１に記載の方法。
【請求項４】
前記拡張縁領域が前記画像領域を囲む枠を画定する、請求項１に記載の方法。
【請求項５】
前記拡張縁領域が実質的に前記被印刷物の前記印刷面の全印刷表面を被覆する、請求項１に記載の方法。
【請求項６】
前記画像層の少なくとも一部分がパッチ層と前記被印刷物との間にあるように、前記パッチ層を前記印刷面に塗布する更なるステップを含む、請求項１に記載の方法。
【請求項７】
前記パッチ層が前記画像要素を少なくとも部分的に被覆する、請求項７に記載の方法。
【請求項８】
前記パッチ層が前記印刷プロセス時に塗布されるインクの層に対応する、請求項７に記載の方法。
【請求項９】
前記被印刷物が前記印刷面と反対側の視認面を含み、当該方法が、前記画像要素を視認するための複数の集束要素を前記被印刷物の前記視認面内または前記視認面上に形成する更なるステップを含む、請求項１に記載の方法。
【請求項１０】
前記輪転印刷プロセスがグラビア印刷プロセスである、請求項１に記載の方法。
【請求項１１】
フェザリングの影響を受けやすい輪転印刷プロセスによって作製される機密要素であって、
ａ）印刷面および視認面を有する透明または半透明被印刷物と、
ｂ）前記被印刷物の前記印刷面上の画像層と、を含み、
前記画像層は拡張縁領域と画像領域とを含み、前記画像領域は前記複数の画像要素を含み、前記拡張縁領域の少なくとも一部分は前記画像領域の前に印刷される、
機密要素。
【請求項１２】
前記複数の画像要素が印刷部または非印刷部に対応する、請求項１１に記載の機密要素。
【請求項１３】
前記拡張領域が、前記被印刷物の前記印刷面への前記画像層の前記印刷から生じるフェザリング現象が完全にまたは少なくとも実質的に前記拡張領域に限定されるように構成されている、請求項１１に記載の機密要素。
【請求項１４】
前記拡張縁領域が前記画像領域を囲む枠を画定する、請求項１１に記載の機密要素。
【請求項１５】
前記拡張縁領域が実質的に前記被印刷物の前記印刷面の全印刷表面を被覆する、請求項１１に記載の機密要素。
【請求項１６】
前記画像層の少なくとも一部分が前記パッチ層と前記被印刷物との間にあるように前記パッチ層を更に含む、請求項１１に記載の機密要素。
【請求項１７】
前記パッチ層が前記画像要素を少なくとも部分的に被覆する、請求項１６に記載の機密要素。
【請求項１８】
前記パッチ層が前記印刷プロセス時に塗布されるインクの層に対応する、請求項１６に記載の機密要素。
【請求項１９】
前記被印刷物が、前記印刷面と反対側の視認面を含み、前記機密要素が前記被印刷物の前記視認面内または前記視認面上に複数の集束要素を更に含む、請求項１１に記載の機密要素。
【請求項２０】
前記輪転印刷プロセスがグラビア印刷プロセスである、請求項１１に記載の機密要素。
【請求項２１】
請求項１１に記載の機密要素を含む機密文書。
【国際調査報告】
2014531342.tif 000009
2014531342.tif 000010
2014531342.tif 000011